(57)【要約】  パネルディスプレイ懸架システムは、第１の取り付け部分と第２の取り付け部分とを有する。懸架されたパネルディスプレイ７の水平位置を容易に調節することを可能にするために、第１の取り付け部分は、支持レール形状本体部１を備え、第２の取り付け部分は、レール形状本体部との協働のための支持移動体３を備える。取り付け部分のうち一方は、パネルディスプレイに固定するように構成され、他方の取り付け部分は、壁に固定するように構成される。
2011529657.tif 000002
【特許請求の範囲】
【請求項１】
支持湾曲ガイドトラックを備えた第１の取り付け部分と、前記トラックとの協働のための支持移動体デバイスを備えた第２の取り付け部分とを有し、
前記部分のうち一方は、パネルディスプレイに固定するように構成され、他方の部分は、直立構造体に固定するように構成される、パネルディスプレイ懸架システム。
【請求項２】
前記湾曲ガイドトラックは、前記第１の取り付け部分を固定した後に、実質的に垂直平面内にある側面をもつ、請求項１に記載のパネルディスプレイ懸架システム。
【請求項３】
前記湾曲ガイドトラックは、曲面ガイド面により構成される、請求項１又は請求項２に記載のパネルディスプレイ懸架システム。
【請求項４】
前記湾曲ガイド表面は、前記第１の取り付け部分を固定した後に下方に向けられるたわみをもつ、請求項３に記載のパネルディスプレイ懸架システム。
【請求項５】
前記第１の取り付け部分は、前記ガイドトラックを与える湾曲レール形状本体部を含む、請求項１に記載のパネルディスプレイ懸架システム。
【請求項６】
前記支持移動体デバイスは、それぞれが前記ガイドトラックとの協働のために構成された２つの分離した移動体を含む、請求項１に記載のパネルディスプレイ懸架システム。
【請求項７】
前記レール形状本体部は、２つの実質的に平行に設けられた内側湾曲フランジを備え、前記移動体は、実質的に画鋲の形態をもち、前記画鋲の頭部は、前記レール形状本体部の前記内側湾曲フランジとの協働のために設けられる、請求項６に係る請求項５に記載のパネルディスプレイ懸架システム。
【請求項８】
前記レール形状本体部の少なくとも１つの内側湾曲フランジは、前記移動体を挿入するための１又はそれ以上の挿入開口部を備える、請求項７に記載のパネルディスプレイ懸架システム。
【請求項９】
前記第２の取り付け部分は、前記パネルディスプレイに固定するために備えられる、請求項１に記載のパネルディスプレイ懸架システム。
【請求項１０】
前記移動体は、特にVideo Electronics Standards Association（ＶＥＳＡ）の取り付けインタフェース規格に従って構成された、前記パネルディスプレイの上側取り付け穴に適合する、請求項６，７及び９に記載のパネルディスプレイ懸架システム。
【請求項１１】
ディスタンスホルダを有する、請求項１０に記載のパネルディスプレイ懸架システム。
【請求項１２】
前記ディスタンスホルダは、特にVideo Electronics Standards Association（ＶＥＳＡ）の取り付けインタフェース規格に従って構成された、前記パネルディスプレイの下側取り付け穴に適合する、請求項１０及び１１に記載のパネルディスプレイ懸架システム。
【請求項１３】
請求項１〜１２のうちいずれか一項に記載のパネルディスプレイ懸架システムを備えた、パネルディスプレイ。
【請求項１４】
請求項１〜１２のうちいずれか一項に記載のパネルディスプレイ懸架システムで使用する湾曲レール形状本体部であって、
当該本体部は、２つの実質的に平行に設けられた内側湾曲フランジを備え、
前記フランジのうち少なくとも一方は、移動体を挿入するための挿入開口部を備える、湾曲レール形状本体部。
【発明の詳細な説明】
【技術分野】
【０００１】
本発明は、第１の取り付け部分及び第２の取り付け部分を有し、これらの部分の一方がパネルディスプレイに固定するように構成され、他方の部分が直立構造体に固定するように構成されるパネルディスプレイ懸架システムに関する。
【０００２】
また、本発明は、斯様なパネルディスプレイ懸架システムを備えたパネルディスプレイに関する。
【背景技術】
【０００３】
米国特許公開第２００６／０２６１２２６号明細書は、フラットパネルディスプレイ取り付けラックアセンブリに接続されたプレートアセンブリを含むフラットパネルディスプレイ壁取り付けシステムを開示している。壁に取り付けられる一方でラックアセンブリから分離される壁プレートアセンブリは、棒体及び２つの角度付けされたスロットを備える。壁プレートアセンブリは、これらの角度付けされたスロットを介して配置されたアンカ要素により壁に取り付けられる。角度付けされたスロットは、壁上で壁プレートアセンブリを同じ高さにするよう機能する。壁プレートアセンブリが同じ高さにされると、壁プレートアセンブリは、壁に更に固定される。Ｕ形状チャネルを備えたラックアセンブリは、フラットパネルディスプレイに取り付けられる。ラックアセンブリがフラットパネルディスプレイに接続され、壁プレートアセンブリが壁に取り付けられると、フラットパネルは、ラックアセンブリのＵ形状チャネルが壁プレートアセンブリの棒体と係合する位置に持ち上げられ、その後、フラットパネルディスプレイは、壁プレートアセンブリ及びそれ故に壁に掛かる。
【０００４】
壁プレートアセンブリは水平化の目的で角度付けされたスロットを備えるが、既知のシステムは、取り付けられたフラットパネルディスプレイの水平方向の調節ができないという欠点をもつ。既に、取り付けられた壁プレートアセンブリの正確な水平方向の小さなずれ又は取り付けシステムの部品の小さな製造誤差が、取り付けられたフラットパネルディスプレイの水平方向の受け入れ難いずれをしばしばもたらすことが証明された。一般に、顧客がフラットパネルディスプレイを壁に水平に取り付けるのは非常に困難である。適切な道具を使用したとしても、適用された取り付けメカニズムにおける誤差は、取り付けられたフラットパネルディスプレイが完全に水平に揃えられることがめったにないことに関与する。
【発明の概要】
【発明が解決しようとする課題】
【０００５】
本発明の目的は、懸架されたパネルディスプレイの水平位置を調節するのを容易にするパネルディスプレイ懸架システムを提供することにある。
【課題を解決するための手段】
【０００６】
この目的は、請求項１に規定された本発明のパネルディスプレイ懸架システムにより達成される。より詳細には、本発明のパネルディスプレイ懸架システムは、支持湾曲ガイドトラックを備えた第１の取り付け部分と、前記トラックと協働する支持移動デバイスを備えた第２の取り付け部分とを有し、前記部分の一方は、パネルディスプレイに固定するように構成され、他方の部分は、直立構造体に固定するように構成される。パネルディスプレイという用語は、通常用いられる用語のフラットパネルディスプレイに対応し、それ故、パネル状のテレビ及びモニタを含むことに留意されたい。フラットパネルディスプレイは、液晶ディスプレイ（ＬＣＤ）及びプラズマディスプレイ（ＰＤＰ）のような多くの技術を用いて形成され得る。また、パネルディスプレイという用語は、例えば投影型テレビに用いられるような、パネルスクリーンを含む。更に、直立構造体という用語は、例えば部屋の少なくとも実質的に垂直の壁又は壁部分を含むが、これは、柱、スタンド等であってもよいことに留意されたい。更に、第１及び第２の取り付け部分は、例えば取り付け部分及び要素に対して通常必要とされる強度、剛性等のような機械的特性をもつことに留意されたい。取り付け部分の材料は、アルミニウム又は鋼のような金属であり得る。好ましくは、陽極酸化された純アルミニウムが用いられる。原理上は、優れた特性をもつプラスチックを含む各材料が適切である。取り付け部分を直立構造体に固定するために、ネジボルト及びプラグ又はナット及びボルトのような適切なアンカ手段が用いられ得る。同様の手段が、取り付け部分をパネルディスプレイに固定するために用いられる。双方の場合において、確実な固定を実行するために接着剤を用いることも可能である。本発明のシステムに適用される特定の手段のために、所定の方向に正確に対応する方向において取り付け部分が直立構造体及びパネルディスプレイに固定されることは重要ではない。例えば、直立構造体に固定された取り付け部分は、完全に水平に配置される必要はない。第１の取り付け部分及び第２の取り付け部分を直立構造体及びパネルディスプレイに固定した後に、双方の取り付け部分が合体され、これにより、移動デバイス及びガイドトラックが協働のために互いに接触する。第１及び第２の取り付け部分を合体した後に、移動デバイス及びガイドトラックは、これらの懸架機能を果たし、トラックの長手方向に対応する方向に互いに対して移動することができる。斯様な移動を行うことにより、パネルディスプレイの整備工又はユーザは、ディスプレイデバイスの所望の方向、通常は水平方向を完全に調節することができる。移動デバイスは、好ましくは、ガイドトラックに対してスライド移動を行うように構成されるが、ランニング移動を行うように構成されてもよい。
【０００７】
本発明のパネルディスプレイ懸架システムの実際の実施形態において、湾曲ガイドトラックは、第１の取り付け部分を固定した後に、実質的に垂直面にある側面をもつ。
【０００８】
本発明のパネルディスプレイ懸架システムの好ましい実施形態は、湾曲ガイドトラックが湾曲ガイド面により構成されることを特徴とする。斯様なガイド面は、移動デバイスを追跡させるのを容易にし、良好な調節可能性を提供する。他の製造上の理由により、ガイド面の湾曲部は、好ましくは、円弧である。最適な半径、即ち、水平方向の調節が最も良く得られる半径は、パネルディスプレイのサイズ及び重量に大きく依存する。
【０００９】
本発明のパネルディスプレイ懸架システムの実際の実施形態において、湾曲ガイド面は、第１の取り付け部分を固定した後に下向きに向けられるたわみをもつ。ガイド面を下方向に向けられたたわみ位置に取り付ける利点は、システムが、底面に制限された摩擦をもつトラックの中心領域に向かって移動しようとすることである。たわみが下方向に向けられる構成において、システムは、トラックの外へ脱落するのを阻止するためにブロッキング特徴体の必要性に関係するトラックの右又は左端部に向かって移動しようとする。
【００１０】
本発明のパネルディスプレイ懸架システムの好ましい実施形態は、第１の取り付け部分が、ガイドトラックを与える湾曲レール形状の本体部を含むことを特徴としている。第１の取り付け部分は、実質的にレール形状の本体部であってもよく、単純な取り付けブラケットをもたらす。製造上及びコストの理由のため、レール形状の本体部は、好ましくは一つの本体部である。
【００１１】
本発明のパネルディスプレイ懸架システムの好ましい実施形態は、支持移動デバイスは、それぞれがガイドトラックと協働して設けられる２つの分離した移動体を含む。移動体は、互いに独立して固定され、スライダ、ランナ等として設計され得る。特に光のセットのための特定の実施形態において、ディスプレイの揺動を阻止するためにポジショニング特徴体を備える一つだけの移動体が設けられる。
【００１２】
本発明のパネルディスプレイ懸架システムの好ましい実施形態は、レール形状の本体部が、２つの実質的に平行に設けられた内側湾曲フランジを備え、移動体が、実質的に画鋲の形態をもち、画鋲の頭部が、レール形状の本体部の内側湾曲フランジと協働するように構成されることを特徴としている。この手法において、単純で信頼性のある懸架システムが得られる。本システムの組み立てられた状態において、マッシュルーム状の移動体と呼ばれる画鋲状の移動体は、レール形状の本体部のフランジ間の区間に延在し、これらの頭部は、レール状の本体部のフランジにより支持される。
【００１３】
本発明のパネルディスプレイ懸架システムの好ましい実施形態は、レール形状の本体部の内側湾曲フランジのうち少なくとも１つが、移動体を挿入するための１又はそれ以上の挿入開口部を備えることを特徴としている。斯様な開口部は、レール形状の本体部への移動体の挿入を単純化する。実際の実施形態において、挿入開口部は、本システムの取り付け後に上側のフランジになるフランジに設けられる。非常に簡単な実施形態において、挿入開口部は設けられない。
【００１４】
本発明のパネルディスプレイ懸架システムの実際の実施形態において、第２の取り付け部分は、パネルディスプレイに固定するために備えられる。
【００１５】
本発明のパネルディスプレイ懸架システムの好ましい実施形態は、移動体が、特にベサ（ＶＥＳＡ；Video Electronics Standards Association）の取り付けインタフェース規格に従って構成された、パネルディスプレイの上部取り付け穴に適合することを特徴としている。取り付けインタフェース規格（ＭＩＳ；Mounting Interface Standard）は、フラットパネルモニタ、ＴＶ及び他のディスプレイをスタンド及び壁取り付け具に取り付けるためのＶＥＳＡにより規定された規格のファミリである。この規格は、最新のフラットパネルＴＶ及びモニタに実装される。本発明の懸架システムに適用された移動体は、好ましくは、これらを、ＶＥＳＡ規格により決定された穴にねじ込むためのネジ山を備える。
【００１６】
本発明のパネルディスプレイ懸架システムの好ましい実施形態は、少なくとも１つのディスタンスホルダの存在により特徴付けられる。パネルディスプレイデバイスの懸架された状況において、斯様なホルダは、ディスプレイデバイスの背面と直立構造体との間の、取り付け部分よりも若干下に配置され、視角を調節するために用いられ得る。更に又は代わりに、斯様なホルダは、パネルディスプレイ及び／又は直立構造体とともに特定の摩擦を与え、これにより、直立構造体に対して懸架されたディスプレイの不所望な横向きの移動に対してロックを与える。
【００１７】
本発明のパネルディスプレイ懸架システムの好ましい実施形態は、ディスタンスホルダが、特にＶＥＳＡの取り付けインタフェース規格に従って構成された、パネルディスプレイの下側取り付け穴に適合することを特徴としている。対称性の理由のために、好ましくは、２つのディスタンスホルダが用いられる。本発明の懸架システムに適用されたディスタンスホルダは、好ましくは、これらを、ＶＥＳＡ規格により決定された穴にねじ込むためのネジ山を備える。実際の実施形態において、ディスタンスホルダは、脚部がネジ山を備えるとともに頭部がスペーサを備えるマッシュルーム状部分により構成される。
【００１８】
本発明のパネルディスプレイは、本発明のパネルディスプレイ懸架システムを備えている。
【００１９】
また、本発明は、本発明のパネルディスプレイ懸架システムで使用する湾曲レール形状の本体部に関する。本発明のレール形状の本体部は、２つの実質的に平行に設けられた内側湾曲フランジを備え、これらフランジのうち少なくとも１つは、移動体を挿入するための挿入開口部を備える。
【００２０】
請求項に関して、請求項で述べられた特徴の全ての取り得る組み合わせが本発明の部分であることに留意されたい。
【００２１】
本発明のこれら及び他の態様は、後述される例から明らかになり、これらを参照して説明されるだろう。
【図面の簡単な説明】
【００２２】
【図１】本発明のディスプレイ懸架システムの一実施形態の背面における分解図である。
【図２】図１の実施形態の取り付け部分の斜視図である。
【図３】図１の実施形態の他の取り付け部分の斜視図である。
【図４】壁に取り付けられた、図２に示された取り付け部分の斜視図である。
【発明を実施するための形態】
【００２３】
開示された実施形態は、概略的に示されることに留意されたい。
【００２４】
図１〜４に示されたパネルディスプレイ懸架システムは、湾曲、より詳細には曲面の支持レール形状本体部１と、２つの支持画鋲形状の移動体３とを有する。レール形状本体部１は、壁５に取り付けるためのものであり、その一方で、移動体３は、フラットパネルディスプレイ７に取り付けるためのものである。レール形状本体部１はアルミニウムで作られ、移動体３は、埋め込まれるか又は挿入される金属ネジをもつ、充填剤（ＰＣ１０ＧＦ）を伴うポリカーボネートから作られる。レール形状本体部１は、それぞれが内側湾曲縁部９ａを備えた２つの平行フランジ９をもつ。これらのフランジのうち一方は、挿入開口部１１を備える。フランジ９、より詳細にはこれらの縁部９ａは、湾曲ガイドトラック１５を規定する湾曲ガイド面１３を構成する。レール形状本体部１は、更に、取り付け穴１７を備え、これを介して、ネジボルトのような通常の取り付け要素が挿入され得る。壁５へのレール形状本体部１の取り付けは、水平配列を得るための厳格な注意を伴うことなく行うことができる。取り付けの後、レール形状本体部１は、下向きのたわみ１９をもつ。取り付けられたレール形状本体部１の向きは、フランジ９が上下に配置されるようになる。
【００２５】
移動体３のそれぞれは、ネジ山を備えた頭部２１及び脚部２３をもつ。脚部２３は、フラットパネルディスプレイ７の背面２９の上側部分２７に設けられた穴２５に適合され、これらの穴にねじ込まれ得る。穴２５は、大抵、Video Electronics Standards Association（ＶＥＳＡ）の取り付けインタフェース規格の要件に適合する。レール形状本体部１の壁５への接続、及び、移動体３のパネルディスプレイ７への接続を終えた後、レール形状本体部１及び移動体３は、パネルディスプレイ７を或る位置に持ち上げることにより組み立てられ、その後、移動体３は、これらをレールに持っていくための挿入開口部１１に挿入され、移動体３をフランジ端部９ａに接触させるためのディスプレイ７の小さな横への移動が続く。この段階で、パネルディスプレイ７の水平方向の調節は、ディスプレイ７の横への移動を簡単に行うことによりもたらされ、これにより、移動体３は、湾曲ガイド面１３に沿ってスライドする。ディスプレイ７の、矢印Ｐで示された１又は幾つかの横への移動の後、ディスプレイパネル７の水平の方向付けが達成されると、調節は止められ得る。明らかに、湾曲レール形状本体部１は、懸架されたディスプレイの必要とされる横への移動を行い得るのに十分な大きさの長さをもつ。しかしながら、レール形状本体部の長さは、好ましくは、調節されたディスプレイによりカバーされるように十分に短い。
【００２６】
図１〜４に示されたパネルディスプレイ懸架システムは、２つのディスタンスホルダ３１を更に有する。ディスタンスホルダ３１は、ポリウレタンで作られる。各ホルダ３１は、ネジ山を備えた脚部３５とスペーサ３９を支える頭部３７とをもつ画鋲形状部分３３により形成される。脚部３５は、フラットパネルディスプレイ７の背面２９の下側部分４３に設けられた穴４１に適合され、これらの穴にねじ込まれ得る。穴４１は、大抵、Video Electronics Standards Association（ＶＥＳＡ）の取り付けインタフェース規格の要件に適合する。パネルディスプレイ７を懸架して水平方向に調節した後、ディスタンスホルダ３１は、ディスプレイ７から壁５に延在する。ホルダ３１は、調節されたディスプレイ７の不所望な移動を阻止するためのロックとして機能する。更に、ディスプレイ７の傾斜角度は、調節可能なホルダであり得るディスタンスホルダ３１により調節され得る。
【００２７】
要約すると、本発明の示されたパネルディスプレイ懸架システムは、第１の取り付け部分と第２の取り付け部分とを有する。懸架されたパネルディスプレイ７の水平位置を容易に調節することを可能にするために、第１の取り付け部分は、支持レール形状本体部１を備え、第２の取り付け部分は、レール形状本体部との協働のための支持移動体３を備える。取り付け部分のうち一方は、パネルディスプレイに固定するように構成され、他方の取り付け部分は、壁又は他の直立構造体に固定するように構成される。
【００２８】
本発明は、図面及び前述の説明において詳細に示され説明された一方で、図示及び説明は、例示又は単なる例であり限定するものではないものとみなされるべきである。本発明は、開示された実施形態に限定されるものではなく、例えば、上向きのたわみを備えた湾曲又は曲面レール形状本体部を適用することが可能である。示された形状とは異なる形状の移動体を使用することも可能である。更に、ディスタンスホルダを放棄することが可能である。更に、レール形状本体部をパネルディスプレイに取り付けること、及び、移動体デバイスを壁又は他の直立構造体に取り付けることが可能である。取り付け部分をディスプレイ及び／又は直立構造体に固定するための追加の取り付けプレートを用いることも可能である。本発明の懸架システムの全ての部品は、それ自体知られた材料から作られ得る。開示された実施形態に対する他のバリエーションは、図面、説明及び特許請求の範囲の研究から、当業者により理解されてもたらされ得る。更に、本発明のシステム及びその全ての部品は、それ自体知られたプロセス及び材料を適用することにより作られ得る。と居請求の範囲及び説明において、"有する"という用語は、他の要素を除外するものではなく、単数表記は、複数を除外するものではない。請求項における如何なる参照符号も、範囲を限定するものとして考慮されるべきではない。
【図１】
2011529657.tif 000003
【図２】
2011529657.tif 000004
【図３】
2011529657.tif 000005
【図４】
2011529657.tif 000006
【国際調査報告】
2011529657.tif 000007
2011529657.tif 000008
2011529657.tif 000009